(57)【要約】      （修正有）【課題】収納体の開口を前傾させることを可能にして衣類を出し入れしやすくするとともに、衣類を出し入れしない時は収納体の開口を隠すことができ、しかも、使用していない時に収納体を折り畳んで体積を小さくしてしまっておきやすくすることができる組み立て可能な前傾式收納装置を提供する。【解決手段】内部空間を備えるとともに折り畳み可能な固定収納体１と、收納空間を備えるアクティブ収納体２とからなる。固定収納体１の底面には、硬質のアクティブ底板１４が設けられ、固定収納体１の一方の側壁には、ストッパー部が設けられたアクティブ支持板１１が可動に連結される。前記アクティブ支持板１１の一端は、固定収納体１の他側の壁に連結されて固定収納体１の頂板となる。アクティブ収納体２は、固定収納体１の内部空間に置かれた後、その下方前端は、固定収納体１の底面前端に連結される。【選択図】図１
0003179945.tif 000002
【実用新案登録請求の範囲】
【請求項１】
固定収納体と、アクティブ収納体とからなる、組み立て可能な前傾式收納装置であって、
固定収納体は、折り畳み可能且つ内部空間を備える矩形体であって、前記固定収納体の前側は、前記内部空間の開口であり、前記固定収納体の内部の一側の上方に近い箇所には、アクティブ支持板が連結され、前記アクティブ支持板には、ストッパー部が設けられ、前記アクティブ支持板の一方の端辺には、折り曲げ可能な延伸部が連結され、前記固定収納体の内部の他側の上方に近い位置には、前記延伸部を差し込むことができる溝孔が設けられ、前記固定収納体の底面には、アクティブ底板が設けられ、前記アクティブ底板の上面の前側には固定部材が設けられ、
アクティブ収納体は、收納空間を備え、前記アクティブ収納体の底部の前側には、前記固定部材と連結され固定される粘着テープが設けられ、
前記粘着テープによって、前記アクティブ収納体を前記固定収納体に対して回転させてその收納空間の上方の開口を前傾させて前記固定収納体から突出させること或いは前記固定収納体に収納させることができ、前記アクティブ収納体を前傾させて前記固定収納体から突出させた時、前記ストッパー部が前記收納空間の開口の辺縁を係止することでその前傾の角度を制限することができることを特徴とする、組み立て可能な前傾式收納装置。
【請求項２】
前記固定部材は、フック状面ファスナーであり、前記粘着テープは、前記フック状面ファスナーと粘着可能なループ状面ファスナーであることを特徴とする、請求項１に記載の組み立て可能な前傾式收納装置。
【請求項３】
前記組み立て可能な前傾式收納装置は、さらに、前記アクティブ収納体の收納空間に置くことができる収納籠を備え、前記アクティブ収納体の対向する両側壁の側辺は、いずれも、斜辺を形成することを特徴とする、請求項１に記載の組み立て可能な前傾式收納装置。
【考案の詳細な説明】
【技術分野】
【０００１】
本考案は衣類を入れたり取出したりすることができる前傾式收納装置に関する。
【背景技術】
【０００２】
一般的に用いられる、洗うための汚れた衣類を入れる収納籠は、プラスチック、竹材、布材等の材料からなる固定式容器である。また、この容器の真上には、通常、開放式開口部を備え、使用者は、直接、衣類をその開口部から容器内に入れたり、洗濯待ちの衣類をその開口部から取り出したりすることができる。このため、従来の汚れた衣類の収納籠は、内部の汚れた衣類が見えてしまう上、取出す時に、垂直の真上の位置から衣類を取出さなければならず、不便である。
【考案の概要】
【考案が解決しようとする課題】
【０００３】
そこで、本考案は、収納体の開口を前傾させることを可能にして衣類を出し入れしやすくするとともに、衣類を出し入れしない時は収納体の開口を隠すことができ、しかも、使用していない時に収納体を折り畳んで体積を小さくしてしまっておきやすくすることができる組み立て可能な前傾式收納装置を提供することを目的とする。
【課題を解決するための手段】
【０００４】
本考案による組み立て可能な前傾式收納装置は、内部空間を備える固定収納体と、收納空間を備えるアクティブ収納体とからなる。アクティブ収納体は、固定収納体の内部空間に置かれ、アクティブ収納体の底部の前側と、固定収納体の底部前側は連結される。使用者が、アクティブ収納体を回転させて固定収納体から引っ張り出し、その收納空間上方の開口を傾斜させて露出させ、それと同時に、固定収納体に設けられたアクティブ支持板のストッパー部を利用して、アクティブ収納体の前傾角度を制限させることで、收納衣類の出し入れが便利になる。衣類を出し入れしない時は、アクティブ収納体を回転させて、固定収納体に収納することで、收納空間を隠すことができ、收納装置の外観を美しく見せることができる。
【０００５】
本考案の固定収納体とアクティブ収納体は、使用していない時には、折り畳んでフラットな形態にすることができ、しまっておくのに便利である。
【図面の簡単な説明】
【０００６】
【図１】本考案による收納装置の主要部材の組み合わせ関係を示した実施例を示した分解斜視図である。
【図２】本考案の背板で固定収納体内を支え、アクティブ支持板をめくった状態の実施例を示した斜視図である。
【図３】本考案のアクティブ支持板を固定収納体に組み合わせて固定した後に、さらに、アクティブ収納体を組み合わせる実施例を示した斜視図である。
【図４】本考案のアクティブ収納体の構造を示した実施例の斜視図である。
【図５】本考案のアクティブ収納体を固定収納体に組み合わせた後の構造を示した実施例の一部を示した平面断面図である。
【図６】本考案のアクティブ収納体を固定収納体に組み合わせた後の実施例を示した斜視図である。
【図７】本考案の收納装置のアクティブ収納体を固定収納体に対して前傾にさせた状態を示した実施例の斜視図である。
【図８】本考案のアクティブ収納体の別の実施例の構造に、収納籠を併せて使用した状態を示した斜視図である。
【図９】本考案の固定収納体をフラット状に折り畳んだ状態を示した実施例の斜視図である。
【考案を実施するための形態】
【０００７】
図１を参照する。本考案による組み立て可能な前傾式收納装置の好ましい実施例は、固定収納体１とアクティブ収納体２とからなる。固定収納体１は、使用していない時に、フラットな形状に折り畳むことができ（図９に図示）しまっておくのに便利である。また、図１に示すように、固定収納体１は、展開させて組み立てると内部空間１０を備える矩形体となり、前方は、内部空間１０の開口を形成する。本考案の固定収納体１の底面には、硬質の材料からなるアクティブ底板１４が設けられる。アクティブ底板１４の形状と面積は、固定収納体１の底部面積にほぼ等しい。それにより、アクティブ底板１４を固定収納体１の底部に置くことで、収納体１を支えて固定することができる。アクティブ底板１４の後側には、さらに、輪部１４１が設けられ、それにより、使用していない時に輪部を引っ張ってアクティブ底板１４を固定収納体１から分離させることができる。アクティブ底板１４の上面の前側には、固定部材１４２が設けられる。固定収納体１の内部一側における上方に近い箇所には、アクティブ連結辺１２を形成させてアクティブ支持板１１を縫いつけられる。また、アクティブ支持板１１の一端辺は、さらに、折り曲げ可能な延伸部１１１が連結され、アクティブ支持板１１の下面前側には、突出したストッパー部１１２が設けられる。固定収納体１の内部の他側における上方に近い位置には、延伸部１１１を差し込むことができる溝孔１３が設けられ、使用者が、アクティブ支持板１１をめくり（図２に図示）水平にした後、延伸部１１１を溝孔１３に差し込んで固定すると、アクティブ支持板１１が、固定収納体１を横向きに支える部材となるとともに、固定収納体１の頂部となる（図３に図示）。
【０００８】
また、図１から図４に示すように、本考案のアクティブ収納体２は、開口が上に向いた收納空間２０を備える。それにより、使用していない時には、折り畳んでフラットな形態にすることもできる。アクティブ収納体２の底部の前側には、粘着テープ２１が設けられる。アクティブ収納体２は、固定収納体１の内部空間１０内に置くことができ、アクティブ収納体２に設けられた粘着テープ２１と前述した固定部材１４２は連結され固定される。本考案の好ましい実施例においては、固定部材１４２は、フック状面ファスナーにすることができ、粘着テープ２１は、前記フック状面ファスナーと粘着可能なループ状面ファスナーにすることができる。アクティブ収納体２を固定収納体１内に組み合わせた時、粘着テープ２１と固定部材１４２が連結され（図５に図示）、アクティブ収納体２が固定収納体１内に組み合わされる（図６に図示）。
【０００９】
図７に示すように、前述した收納装置により、使用者が衣類を収納したい時は、アクティブ収納体２の上方を外側の方向に引っ張り出す。この時、アクティブ収納体２は、粘着テープ２１の連結箇所を中心として固定収納体１に対して回転させることができ、收納空間２０上方の開口を傾斜させて固定収納体１から突出させることができる。そして、アクティブ支持板１１下方に設けられた突出したストッパー部１１２がアクティブ収納体２の開口の辺縁に係止され、アクティブ収納体２が突出した際の傾斜角度を制限する。それにより、使用者は、衣類を收納空間２０に入れやすくなり、また、收納空間２０から衣類を取出しやすくなる。
【００１０】
本考案は、アクティブ収納体２の收納空間２０を直接利用して衣類を入れることができるだけでなく、さらに、収納籠３（図８に図示）を提供することもできる。この収納籠３は、内部空間を備える容器であり、アクティブ収納体２の收納空間２０内に入れられる。使用者が、衣類を収納籠３内に入れ、一定の量が溜まって洗いたくなった時、アクティブ収納体２を回転させて傾斜させた後、そのまま、収納籠３全体をアクティブ収納体２から取り出すことができ、それにより、一枚一枚衣類をアクティブ収納体２から取り出す必要がなくなる。収納籠３をアクティブ収納体２に入れやすく、あるいは、取出しやすくするために、図８での実施例では、アクティブ収納体２の両側壁を傾斜状にし、後側に側壁をもうけず、収納籠３の内部空間でアクティブ収納体２の收納空間の代替をさせている。また、固定収納体１の内部底面の後側に連結部材１５を設け、連結部材１５をアクティブ収納体２の底部後側に連結させる。それにより、アクティブ収納体２を回転させて固定収納体１から出すと、連結部材１５によりアクティブ収納体２が引っ張られて、衣類を取出しやすい傾斜させた状態に固定することができる。この連結部材１５は、粘着テープにすることができる。
【符号の説明】
【００１１】
１          固定収納体
１０        内部空間
１１        アクティブ支持板
１１１      延伸板
１１２      ストッパー部
１２        クティブ連結辺
１３        溝孔
１４        アクティブ底板
１４１      輪部
１４２      固定部材
１５        連結部材
２          アクティブ収納体
２０        收納空間
２１        粘着テープ
３          収納籠
【図１】
0003179945.tif 000003
【図２】
0003179945.tif 000004
【図３】
0003179945.tif 000005
【図４】
0003179945.tif 000006
【図５】
0003179945.tif 000007
【図６】
0003179945.tif 000008
【図７】
0003179945.tif 000009
【図８】
0003179945.tif 000010
【図９】
0003179945.tif 000011